(57)【要約】【課題】  操作性がよくて、誤操作の可能性が少なく、又、聴覚障害者でもタッチ操作の受付けを確実に知ることができる加熱調理器を提供する。【解決手段】  扉１に光電式のタッチパネル６が設けられ、そのタッパネル６の透明板７に圧電素子２０が設けられている。そして、透明板７に使用者が手の指Ｆでタッチ操作すると、制御装置から圧電素子２０に電圧が印加され、透明板７が振動する。【選択図】  図１
2005265216.tif 000002
【特許請求の範囲】
【請求項１】
被加熱物を収容する調理室と、
この調理室の前面開口部を開閉する扉と、
前記被加熱物を加熱する加熱手段と、
前記扉の前面部に設けられ、タッチ面部がタッチ操作されることにより調理時間や調理温度等の加熱条件の設定、加熱種類の選択、調理開始や調理中止の指示等の信号を出力するタッチパネルと、
振動発生手段と、
前記タッチパネルからの信号に基づいて前記加熱手段および振動発生手段を制御する制御手段とを具備し、
前記制御手段は、タッチパネルのタッチ面部がタッチ操作されると、前記振動発生手段を動作させてそのタッチパネルの少なくともタッチ面部を振動させるように構成されていることを特徴とする加熱調理器。
【請求項２】
制御手段は、加熱種類に応じて振動発生手段の振動パターンを異ならせるように構成されていることを特徴とする請求項１記載の加熱調理器。
【請求項３】
制御手段は、設定温度又は設定出力に応じて振動発生手段の振動強度を異ならせるように構成されていることを特徴とする請求項１記載の加熱調理器。
【請求項４】
制御手段は、設定温度又は設定出力を設定すべくタッチパネルのタッチ面部が連続的にタッチ操作されたときには、振動発生手段を断続的に振動させるとともに、その振動の間隔を設定温度又は設定出力に応じて異ならせるように構成されていることを特徴とする請求項１記載の加熱調理器。
【請求項５】
制御手段は、設定温度又は設定出力の設定をタッチパネルのタッチ面部におけるタッチ操作された位置に応じて行ない、タッチ面部がタッチ操作された状態で操作位置が移動されたときには設定を変更するように構成されていることを特徴とする請求項３又は４記載の加熱調理器。
【請求項６】
制御手段は、設定により加熱を開始する操作の場合と設定のみでは加熱を開始しない他の操作の場合とでは、振動発生手段の振動状態を異ならせるように構成されていることを特徴とする請求項１記載の加熱調理器。
【請求項７】
制御手段は、設定により加熱を開始する操作の場合は設定のみでは加熱を開始しない他の操作の場合よりも長い時間タッチ操作が継続されたときに設定を受付け、タッチ操作が継続している間は振動発生手段を動作させるとともに、設定を受付けるときにはその振動状態を異ならせるように構成されていることを特徴とする請求項６記載の加熱調理器。
【請求項８】
タッチパネルのタッチ面部は透視可能に形成されていることを特徴とする請求項１記載の加熱調理器。
【請求項９】
タッチパネルの背面部に透過型液晶表示器が配設され、
制御手段は、前記透過型液晶表示器を、タッチ操作の受付け有効範囲の表示の枠とタッチ操作により選択される機能の表示とを行なわせるとともに、これらの受付け有効範囲表示と機能表示とを設定の場面に応じて切換えるように制御するように構成されていることを特徴とする。請求項８記載の加熱調理器。
【請求項１０】
タッチパネルとして光学式タッチパネルが用いられていることを特徴とする請求項１記載の加熱調理器。
【発明の詳細な説明】
【技術分野】
【０００１】
本発明は、操作手段としてタッチパネルを備えた加熱調理器に関する。
【背景技術】
【０００２】
従来より、オーブンレンジにおいては、外箱の前面部に扉の側方に位置して操作パネルが配設され、この操作パネルにタッチパネルが設けられていて、このタッチパネルがタッチ操作されることにより、加熱方式や加熱パターンおよび調理物の種類やメニュー、調理時間等の選択が可能にしたものがある（例えば特許文献１参照）。
【特許文献１】特開２０００−６５３６０号公報
【発明の開示】
【発明が解決しようとする課題】
【０００３】
従来のように、扉の側方の操作パネルにタッチパネルを設ける構成としたのでは、スペース的な理由からにタッチパネルを余り大きくすることができず、操作性が悪くて、誤操作の問題がある。又、タッチパネルは、タッチ操作したときに操作感（クリック感）がないので、使用者は確実に操作が受付けられたのかどうか分かりにくい。そこで、タッチパネルがタッチ操作されたときにブザーを鳴動させるようにしたものも従来より考えられているが、使用者が聴覚障害者の場合には分からないという問題がある。
【０００４】
本発明は上記事情に鑑みてなされたものであり、その目的は、操作性がよくて、誤操作の可能性が少なく、又、聴覚障害者でもタッチ操作の受付けを確実に知ることができる加熱調理器を提供するにある。
【課題を解決するための手段】
【０００５】
上記目的を達成するために本発明は、被加熱物を収容する調理室と、この調理室の前面開口部を開閉する扉と、前記被加熱物を加熱する加熱手段と、前記扉の前面部に設けられ、タッチ面部がタッチ操作されることにより調理時間や調理温度等の加熱条件の設定、加熱種類の選択、調理開始や調理中止の指示等野信号を出力するタッチパネルと、振動発生手段と、前記タッチパネルからの信号に基づいて前記加熱手段および振動発生手段を制御する制御手段とを具備し、前記制御手段は、タッチパネルのタッチ面部がタッチ操作されると、前記振動発生手段を動作させてそのタッチパネルの少なくともタッチ面部を振動させるように構成されているところに特徴を有する。
【０００６】
このような構成によれば、従来の操作パネルより広い面積を有する扉の前面部にタッチパネルを設けるようにしたので、タッチ面部を大きくすることができ、従って、操作性が我よくなって、誤操作の可能性が少なくなる。又、使用者がタッチパネルのタッチ面部にタッチ操作したときには、少なくともそのタッチ面部が振動発生手段により振動されるので、使用者が聴覚障害者であってもタッチ操作の受付けを確実に知ることができる。
【発明の効果】
【０００７】
本発明の加熱調理器は、操作性がよくて、誤操作の可能性が少なく、又、聴覚障害者でもタッチ操作の受付けを確実に知ることができるという優れた効果を奏する。
【発明を実施するための最良の形態】
【０００８】
（第１の実施例）
以下、本発明をオーブンレンジに適用した第１の実施例について図１ないし図８を参照して説明する。
先ず、図２に従って加熱調理器たるオーブンレンジの全体の構成について述べる。矩形状の外箱１は、前面が開口しており、内部に加熱室（図示せず）が配設されている。この加熱室も前面が開口しており、その前面開口部は前記外箱１の前面開口部とほぼ等しい大きさに設定されている。外箱１の内部の底部若しくは後部には、図示はしないが、機械室が形成されており、その内部には、加熱室内に収容された被加熱物をマイクロ波加熱（レンジ調理）するためのマイクロ波加熱装置２およびヒータ加熱（オーブン調理、グリル調理）するためのヒータ加熱装置３（いずれも図５参照）が配設されている。そして、外箱１の前面開口部には、前記加熱室の前面開口部を開閉する扉４がその下端部において枢設されており、その扉４の前面部の上部には、取手５が設けられている。
【０００９】
扉４の前面部には、光電式タッチパネル（以下、単にタッチパネルと称する。）６が配設されている。このタッチパネル６について、図１に従って述べる。透視可能なタッチ面部たる透明板７は、強化ガラスで構成されたもので、扉４の図示しない窓部（電波漏洩防止用のパンチングプレートが装着されている。）に装着されている。扉４の枠部４ａ内には、上下に位置して対なすＸ軸用赤外線ＬＥＤ８ａおよびフォトトランジスタ８ｂが多数対左右方向（Ｘ軸方向）に列設されているとともに、左右に位置して対をなすＹ軸用赤外線ＬＥＤ９ａおよびフォトトランジスタ９ｂが多数対上下方向（Ｙ軸方向）に列設されている。
【００１０】
この場合、図１に示すように、赤外線ＬＥＤ８ａおよび９ａからの赤外線は、透明板７の前面に僅かな距離を存して沿うように投光されて対応するフォトトランジスタ８ｂおよび９ｂにより受光されるようになっている。そして、多数対のＸ軸用赤外線ＬＥＤ８ａおよびフォトトランジスタ８ｂは各対毎に同期してスキャニングされるとともに、多数対のＹ軸用赤外線ＬＥＤ９ａおよびフォトトランジスタ９ｂも各対毎に同期してスキャニングされるようになっている。従って、使用者が例えば手の指Ｆでタッチパネル６の透明板７をタッチ操作すると、その位置に対応するＸ軸用赤外線ＬＥＤ８ａおよびＹ軸用赤外線ＬＥＤ９ａからの赤外線は、指Ｆで遮断されてこれらと対をなすフォトトランジスタ８ｂおよび９ｂに受光されなくなり、以て、指Ｆによるタッチ操作位置が特定（検出）されるようになる。
【００１１】
さて、タッチパネル６の透明板７の裏面には、図３に示すように、各種表示が印刷により施されている。即ち、透明板７には、加熱種類（調理種類）表示部１０、メニュー表示部１１、出力温度表示部１２、時間表示部１３および開始中止表示部１４が設けられている。そして、加熱種類表示部１０には、タッチ操作の受付け有効範囲の表示の枠１０ａ、１０ｂ、１０ｃとタッチ操作により選択される機能の表示たる「レンジ」、「オーブン」、「グリル」の文字が印刷され、メニュー表示部１１には、タッチ操作の受付け有効範囲の表示の枠１１ａ、１１ｂと機能の表示たる「あたため」、「のみもの」の文字が印刷され、出力温度表示部１２には、タッチ操作の受付け有効範囲の表示の枠１２ａ、１２ｂと機能の表示たる「出力  温度  △」、「出力  温度  ▽」の文字が印刷され、時間表示部１３には、タッチ操作の受付け有効範囲の表示の枠１３ａ、１３ｂと機能の表示たる「時間  △」、「時間  ▽」の文字が印刷され、開始中止表示部１４には、タッチ操作の受付け有効範囲の表示の枠１４ａ、１４ｂと機能の表示たる「スタート」、「とりけし」の文字が印刷されている。
【００１２】
更に、扉４の枠部４ａには、表示器たる液晶表示器からなる加熱条件用の表示器１５が配設されている。
図５は、電気的構成を示すブロック線図である。この図５において、制御手段たる制御装置１６は、マイクロコンピュータを主体としてその周辺回路からなるものである。この制御装置１６において、各入力ポートには、外箱１内の加熱室の温度を検出するサーミスタからなる温度センサ１７および扉４の開閉に応動して開閉（オフオン）する扉スイッチ１８が接続されているとともに、入出力ポートには、前述のタッチパネル６の入出力端子が接続されている。更に、制御装置１６の出力ポートには、加熱手段たるマイクロ波加熱装置２、加熱手段たるヒータ加熱装置３および表示器１５が接続されているとともに、振動発生手段たる振動発生装置１９が接続されている。
【００１３】
図６は、振動発生装置１９の電気的構成を示すものである。この振動発生装置１９の主体となる振動子たる圧電素子２０は、図１（ａ）に示すように、タッチパネル６の透明板７における裏面の上端部に取付けられている。図６において、電圧Ｖｄｄが印加された直流電源端子２１は、ＮＰＮ型のトランジスタ２２のコレクタおよびエミッタ間、中間端子２３、圧電素子２０およびＮＰＮ型のトランジスタ２４のコレクタおよびエミッタ間を介してアースされている。
【００１４】
図６のＮＰＮ型のトランジスタ２５において、コレクタは、トランジスタ２２のベースに接続されているとともに、抵抗２６を介して直流電源端子２１に接続されており、エミッタは、アースされており、ベースは、抵抗２７を介してアースれているとともに、抵抗２８および２９を介して制御端子３０に接続されており、そして、抵抗２８および２９の共通接続点は、コンデンサ３１を介してアースされている。即ち、抵抗２９およびコンデンサ３１は積分回路を構成する。そして、トランジスタ２４において、ベースは、抵抗３２を介してアースされているとともに、抵抗３３を介して制御端子３４に接続されている。この場合、制御端子３０および３４が制御装置１６の出力ポートに接続されている。
【００１５】
しかして、振動発生装置１９の制御端子３０および３４には、制御装置１６から図７  （ｃ）および（ｄ）で示すようなＰＷＭ信号Ｖ１およびパルス信号Ｖ２が与えられるようになっている。尚、図７においては、横軸に時間Ｔをとって示す。そして、制御端子３０に与えられるＰＷＭ信号Ｖ１のデューティが大のときにはコンデンサ３１の端子間電圧は高くてトランジスタ２５のベース電位は高く、従って、トランジスタ２５の導通度合いが大となってトランジスタ２２のベース電位は低くなり、そのトランジスタ２２の導通度合いは低くなる。逆に、制御端子３０に与えられるＰＷＭ信号Ｖ１のデューティが小のときにはコンデンサ３１の端子間電圧は低くてトランジスタ２５のベース電位は低く、従って、トランジスタ２５の導通度合いが小となってトランジスタ２２のベース電位は高くなり、そのトランジスタ２２の導通度合いは高くなる。以上のように、制御端子３０に与えられるＰＷＭ信号Ｖ１のデューティの大小により中間端子２３の電圧Ｖ０は例えば図７（ｂ）に示すように２段階に変化するようになり、この電圧Ｖ０がパルス信号Ｖ２が与えられてオンオフするトランジスタ２４によりが振幅が大小異なるパルス電圧ＶＺ（図７（ａ）参照）として圧電素子２０印加されるようになり、圧電素子２０が振動を発生してタッチパネル６の透明板７に与えて振動させる。
【００１６】
次に、本実施例の作用につき図８をも参照して説明するに、図８は圧電素子２０に印加される電圧ＶＺを示すものであり、パルス数は振動回数を示し、振幅の大きさは振動強度を示すようになる。尚、図８においては横軸に時間Ｔをとって示す。
今、使用者が手の指Ｆで図３で示す加熱種類表示部１０の「レンジ」の枠１０ａ内をタッチ操作したとすると、制御装置１６は、タッチパネル６からの信号によりレンジ調理が選択されたことを検出し、振動発生装置１９を制御して圧電素子２０に図８（ａ）で示す電圧を印加する。これにより、圧電素子２０は４回振動する振動パターンとなる。そして、制御装置１６は、表示器１５を図４（ａ）の初期状態から図４（ｂ）のレンジ調理選択状態に変化させ、「レンジ」の表示を行なわせる。尚、図４（ａ）の初期状態では、表示器１５には透明板７に印刷された文字が表示されるようになっているが、ここでは簡略化のため図示は省略する。
【００１７】
その後、使用者が指Ｆで出力温度表示部１２の「出力  温度  △」の枠１２ａをタッチ操作すると、タッチ操作する毎に圧電素子２０は図８（ａ）の電圧が印加されて振動し、制御装置１６は、表示器１５にレンジの出力設定表示を行なわせる。そして、出力設定が所定値より高くなったときには、制御装置１６は、枠１２ａがタッチ操作される毎に圧電素子２０に図８（ｃ）で示すように図８（ａ）よりも振幅の大きな電圧を印加するようになり、圧電素子２０の振動強度が大になる。使用者が指Ｆで出力温度表示部１２の「出力  温度  ▽」の枠１２ｂをタッチ操作したときには、前述と逆の動作が行なわれる。これにより、表示器１５には、例えば図４（ｃ）に示すように、「８００Ｗ」の出力設定表示がなされる。
【００１８】
尚、使用者が指Ｆで出力温度表示部１２の「出力  温度  △」の枠１２ａを連続的にタッチ操作したときには、制御装置１６は表示器１５に出力設定表示を順次大となるように変化させるようになるが、この場合、制御装置１６は、設定出力が小のときには、圧電素子２０に、図８（ｄ）に示すように、所定の間隔を存して断続的に電圧を印加して振動させるが、設定出力が大になるに従って図８（ｅ）および（ｆ）に示すようにその間隔が短くなるように設定されている。
【００１９】
その後は、使用者は指Ｆで時間表示部１３の「時間  △」の枠１３ａ或いは「時間  ▽」の枠１３ｂ内をタッチ操作して調理時間を設定するのであるが、この場合も、「出力  温度  △」の枠１２ａ或いは「温度  出力  ▽」の枠１２ｂ内をタッチ操作時と同様に、圧電素子２０に図８（ａ）、（ｃ）、（ｄ）ないし（ｆ）示す電圧を印加するとよい。このようにして、表示器１５に、例えば図４（ｃ）で示すように、調理時間「２分３０秒」が設定されると、使用者が指Ｆで開始中止表示部１４の「スタート」の枠１４ａ内をタッチ操作することにより、制御装置１６はマイクロ波加熱装置２を制御してレンジ調理を実行させる。尚、使用者が指Ｆで開始中止表示部１４の「スタート」の枠１４ａ内をタッチ操作したときにも、制御装置１６は、圧電素子２０に図８（ａ）に示すような電圧を印加する。
【００２０】
以上は、レンジ調理を行なう場合であるが、使用者が加熱種類表示部１０の「オーブン」或いは「グリル」等のヒータ加熱の枠１０ｂ或いは１０ｃ内をタッチ操作したときには、制御装置１６は、タッチパネル６からの信号によりオーブン或いはグリル調理が選択されたことを検出し、圧電素子２０に図８（ｂ）で示す電圧を印加させる。これにより、圧電素子２０は８回振動し、レンジ調理時とは異なる振動パターンとなる。この場合には、制御装置１６は、表示器１５に「オーブン」或いは「グリル」の表示を行なわせる。その後は、使用者は「出力  温度  △」の枠１２ａ或いは「温度  出力  ▽」の枠１２ｂ内をタッチ操作するのであるが、「オーブン」或いは「グリル」のヒータ調理時には、温度設定がなされる。従って、この場合には、表示器１５には、出力「Ｗ」の代わりに温度「℃」の設定表示がなされる。尚、「出力  温度  △」の枠１２ａ或いは「温度  出力  ▽」の枠１２ｂ内のタッチ操作による圧電素子２０の振動ついてはレンジ調理の場合と同様であり、出力大小が温度大小に対応する。制御装置１６は、ここでは、ヒータ加熱装置３を制御してオーブン調理或いはグリル調理を実行させるが、温度センサ１７の検出に基づいて温度制御も行なうになっている。
【００２１】
一方、被加熱物のあたため或いは飲物の加熱をレンジ調理（マイクロ波加熱）で行ないたい場合には、使用者は指Ｆでメニュー表示部１１の「あたため」或いは「のみもの」の枠１１ａ或いは１１ｂ内をタッチ操作するが、そのタッチ操作は一定時間以上継続して行なうようにする。制御装置１６は、タッチパネル６からの信号によりあたため調理或いはのみもの調理が選択されたことを検出し、振動発生装置１９を制御して圧電素子２０に図８（ｇ）で示す電圧を印加する。そして、制御装置１６は、図示はしないが、表示器１５に「あたため」或いは「のみのも」の文字表示を行なわせる。
【００２２】
しかして、圧電素子２０に図８（ｇ）の電圧ＶＺが印加されると、圧電素子２０は、最初は振動強度の小なる状態で振動し、その後一定時間以上タッチ操作が継続されると、振動強度の大なる状態で振動するように切換わる。即ち、制御装置１６は、使用者により一定時間以上タッチ操作が継続されたときにあたため調理或いはのみもの調理を受付け、その受付けたことを圧電素子２０の振動強度を大にすることにより使用者に知らせるのである。そして、制御装置１６は、マイクロ波加熱装置２を制御してあたため調理或いはのみもの調理を自動的に実行させる。
【００２３】
オーブンレンジにおいては、通常、レンジ調理、オーブン調理およびグリル調理は、選択されても直ちに加熱が開始されることはなく、その後、出力或いは温度および調理時間が設定されて開始操作されることにより加熱が開始される。しかしながら、あたため調理或いはのみもの調理は、選択されると直ちに加熱が開始されるようになっている。このため、使用者の意思に反して誤ってあたため調理或いはのみもの調理が選択された場合には、加熱が開始されてしまう。
【００２４】
上述したように、制御装置１６が使用者により一定時間以上タッチ操作が継続されたときにあたため調理或いはのみもの調理を受付けるようにすれば、あたため調理或いはのみもの調理を行ないたいという使用者の意思を確認することができ、その上、圧電素子２０の振動強度を大に切換えることにより受付け完了を使用者に知らせることができる。
尚、扉４が開放されたときには、扉スイッチ１８がオフされるので、制御装置１６は、扉スイッチ１８のオフ状態では、タッチパネル６がタッチ操作されてもこれを受付けないようになっている。
【００２５】
このような本実施例によれば、次のような効果を得ることができる。
扉４の前面部にタッチパネル６を配設するようにしたので、タッチ面部たる透明板７を大きくすることができ、しかも、この透明板７に各種表示部１０ないし１４を設けるようにしたので、操作性がよくなって、誤操作の可能性が少なくなる。この場合、外箱１内の底部若しくは後部に機械室を設けるようにしたので、従来とは異なりの扉４の側方に操作パネルを設ける必要はなく、外箱１の前面開口部即ち加熱室の前面開口部を大きくとることができ、それだけ、扉４を大きくすることができ、換言すれば、タッチパネル６も大きくすることができて、更に操作性がよくなる。そして、タッチパネル６の透明板７も大きくできるので、加熱室内部の視認性もよくなる。
【００２６】
更に、透明板７に圧電素子２０を設けて、透明板７に使用者が指Ｆでタッチ操作したときにタッチパネル６から信号を発生させて制御装置１６に送ることにより、圧電素子２０を振動させてその振動を透明板７に伝えるようにしたので、透明板７の振動を使用者が指Ｆで感じることができ、従って、使用者が聴覚障害者であってもタッチ操作の受付けを確実に知ることができる。
【００２７】
又、使用者が加熱種類表示部１０の「レンジ」の枠１０ａ内をタッチ操作したときには、圧電素子２０に図８（ａ）に示す電圧を印加し、「オーブン」或いは「グリル」の枠１０ａ或いは１０ｂ内をタッチ操作したときには、圧電素子２０に図８（ｂ）に示す電圧を印加して、マイクロ波加熱時とヒータ加熱時とで振動パターンを異ならせるようにしたので、使用者はマイクロ波加熱とヒータ加熱とのいずれが選択されたのかを判別することができ、従って、使用者に選択の誤操作があったときには、使用者にその選択の誤操作を気付かせることができる。尚、使用者が誤操作に気が付いたときには、タッチパネル６の開始中止表示部１４の「とりけし」の枠１４ｂ内をタッチ操作すればよく、この場合も、制御装置１６は圧電素子２０に図８（ａ）に示すような電圧を印加する。
【００２８】
タッチパネル６の出力温度表示部１２の枠１２ａ、１２ｂ内をタッチ操作して出力或いは温度を設定する場合に、出力或いは温度の設定が小のときには、圧電素子２０に図８  （ａ）に示す電圧を印加し、出力或いは温度の設定が大のときには、圧電素子２０に図８（ｃ）に示す電圧を印加するようにしたので、振動強度の大小によっても設定の大小を感じることができて、使用上便利である。このことは、時間表示部１３の枠１３ａ、１３ｂ内をタッチ操作して調理時間を設定する場合も同様である。
【００２９】
タッチパネル６の出力温度表示部１２の枠１２ａ、１２ｂ内を連続的にタッチ操作して出力或いは温度を連続的に変化設定する場合に、出力或いは温度の設定が小から大に変化するときには、設定が大になるに従って圧電素子２０に図８（ｄ）、（ｅ）、（ｆ）に示す電圧を印加し、出力或いは温度の設定が大から小変化するときには、圧電素子２０に上述と逆の順序で電圧を印加するようにしたので、振動の間隔によっても設定の変化を感じることができる。このことは、時間表示部１３の枠１３ａ、１３ｂ内を連続的にタッチ操作して調理時間を設定する場合も同様である。
【００３０】
そして、制御装置１６は、使用者によりメニュー表示部１１の「あたため」或いは「のみのも」の枠１１ａ或いは１１ｂ内がタッチ操作されたときには、圧電素子２０に図８  （ｇ）に示す電圧を印加して、一定時間以上タッチ操作が継続されたときにあたため調理或いはのみもの調理を受付けるようにしたので、あたため調理或いはのみもの調理を行ないたいという使用者の意思を確認することができ、その上、圧電素子２０の振動強度を大に切換えるようにしたので、受付け完了を使用者に知らせることができる。
【００３１】
尚、制御装置１６は、使用者によりメニュー表示部１１の「あたため」或いは「のみのも」の枠１１ａ或いは１１ｂ内がタッチ操作されたときには、圧電素子２０に図８（ｇ）に示す電圧を印加するようにしたが、代わりに、図８（ｈ）に示す電圧を印加するようにしてもよい。この場合、使用者は、圧電素子２０に印加される電圧が図８（ａ）のときと図８（ｈ）のときとでは、振動の強度変化が異なるので、誤操作した場合には、直ぐにそれに気が付くようになる。
【００３２】
（第２の実施例）
図９ないし図１３は本発明の第２の実施例であり、上記第１の実施例と同一部分には同一符号を付して示し、以下異なる部分について説明する。
図９に示すように、タッチパネル６の透明板７の裏面には、メニュー表示部１１、出力温度表示部１２および時間表示部１３の代わりに、出力温度時間表示部３５が設けられ、これは、タッチ操作の受付け有効範囲の表示を行なう枠３５ａと、この枠３５ａ内に位置した「時間」の軸（Ｘ軸）と、「出力  温度」の軸（Ｙ軸）とが印刷によって形成されたものである。尚、開始中止表示部１４の上部には、タッチ操作の受付け有効範囲の表示を行なう枠１４ｃと「オート」の文字が印刷により設けられている。
【００３３】
次に、この第２の実施例の作用につき図１０ないし図１４をも参照して説明するに、ここでは、更に説明を簡素化するために図５および図８も参照する。
図１０（ａ）で示すように、使用者が指Ｆで「レンジ」の枠１０ａ内をタッチ操作すると、制御装置１６は、図１１（ａ）に示すように、表示器１５に「レンジ  ０Ｗ  ０秒」の表示を行なわせる。尚、使用者のタッチ操作時には、制御装置１６は、圧電素子２０（
図１および図６参照）に図８（ａ）に示す電圧を印加する。
【００３４】
図１０（ｂ）に示すように、使用者が指Ｆで枠３５ａ内の「時間」軸と「出力  温度」軸との間をタッチ操作すると、制御装置１６は、図１１（ｂ）に示すように、表示器１５に「レンジ  ６００Ｗ  ２３分０秒」のように出力と調理時間を表示させる。即ち、使用者が指Ｆで枠３５ａ内の「時間」軸と「出力  温度」軸との間をタッチ操作すると、その操作位置に応じて出力と調理時間が設定されるようになっており、右方向が時間設定大であり、上方向が出力設定大である。従って、使用者が指Ｆを図１０（ｂ）状態から図１０（ｃ）のように上方に移動させると、制御装置１６は、図１１（ｃ）に示すように、表示器１５に「レンジ  ８００Ｗ  ２３分０秒」のように出力設定を変更して表示させる。尚、制御装置１６は、図１０（ｂ）のときには、圧電素子２０に図８（ａ）の電圧を印加し、図１０（ｃ）のときには、圧電素子２０に図８（ｃ）の電圧を印加する。
【００３５】
その後、図１０（ｄ）に示すように、使用者が指Ｆで「スタート」の枠１４ａ内をタッチ操作すると、制御装置１６は、レンジ調理を開始させるようになり、表示器１５に図１１（ｄ）のように表示させる。尚、表示器１５の図１１（ｄ）の表示は、図１１（ｃ）の表示と区別がつかないが、実際には、枠１４ａ内がタッチされると、例えば、「レンジ」の文字が点滅されて調理種類の選択、加熱条件の設定が完了したことを表示し、その後、「レンジ」の文字が連続表示されて、加熱開始を表示させるようになっている。
【００３６】
一方、図１２（ａ）で示すように、使用者が指Ｆで「オーブン」の枠１０ｂ内をタッチ操作すると、制御装置１６は、図１３（ａ）に示すように、表示器１５に「オーブン  １００℃  ０秒」の表示を行なわせる。これは、温度および調理時間が未設定であることを示す。尚、使用者のタッチ操作時には、制御装置１６は、圧電素子２０に図８（ｂ）に示す電圧を印加する。
【００３７】
図１２（ｂ）に示すように、使用者が指Ｆで枠３５ａ内の「時間」軸と「出力  温度」軸との間をタッチ操作すると、制御装置１６は、図１３（ｂ）に示すように、表示器１５に「オーブン  １８０℃  ２３分０秒」のように温度と調理時間を表示させる。使用者が指Ｆを図１２（ｂ）状態から図１２（ｃ）のように右方および上方に移動させると、制御装置１６は、図１３（ｃ）に示すように、表示器１５に「オーブン  ２００℃  ２５分」のように温度および時間設定を変更して表示させる。尚、制御装置１６は、図１２（ｂ）のときには、圧電素子２０に図８（ａ）の電圧を印加し、図１２（ｃ）のときには、圧電素子２０に図８（ｃ）の電圧を印加する。
【００３８】
その後、図１２（ｄ）に示すように、使用者が指Ｆで「スタート」の枠１４ａ内をタッチ操作すると、制御装置１６は、オーブン調理を開始させるようになり、表示器１５に図１３（ｄ）のように表示させる。尚、表示器１５の図１３（ｄ）の表示は、図１３（ｃ）の表示と区別がつかないが、これも、レンジ調理の場合と同様である。
使用者が指Ｆで「オート」の枠１４ｃ内をタッチ操作したときには、制御装置１６はマイクロ波加熱装置２にレンジ調理を自動的に開始させるようになっており、そのタッチ操作時には圧電素子２０に図８（ｃ）の電圧を印加するようになっている。
【００３９】
この第２の実施例によれば、使用者が指Ｆで出力温度時間表示部３５の枠３５ａ内にタッチ操作することにより出力或いは温度および調理時間を設定することができるとともに、そのタッチ操作を中止しないでそのままタッチ位置を移動させることにより出力或いは温度および調理時間の設定を継続的に変更することができるので、設定が容易であり、使い勝手に優れたものとなる。
【００４０】
尚、使用者が指Ｆで出力温度時間表示部３５の枠３５ａ内にタッチ操作してそのままタッチ位置を移動させているときには、制御装置１６により、圧電素子２０に、図８（ｄ）、（ｅ）、（ｆ）の電圧を同順序で若しくは逆の順序で印加するようにしてもよい。
【００４１】
（第３の実施例）
図１４ないし図１７は本発明の第３の実施例であり、第２の実施例と同一部分には同一ほ号付して示し、以下異なる部分について説明する。
図１４に示すように、タッチパネル６には、透明板７に代わる透明板３７が設けられており、その透明板３７の裏面側には、透明型の液晶表示器３６が配設されている。そして、透明板３７の裏面には、第２の実地例のような加熱種類表示部１０、開始中止表示部１４および出力温度時間表示部３５は印刷されてはいない。
次に、この第３の実施例の作用につき図１５ないし図１７をも参照して説明するに、ここでは、更に説明を簡素化するために図５および図８も参照する。
【００４２】
図１５に示すように、液晶表示器３６には、初期状態では、前記枠１０ａ、１０ｂ、１０ｃ、１４ｃに対応する枠３８、３９、４０、４１および「レンジ」、「オーブン」、  「グリル」、「オート」の文字が表示されている。
図１６（ａ）に示すように、使用者が指Ｆで「レンジ」の枠３８内をタッチ操作すると、制御装置１６は、表示器１５に図１７（ａ）の初期状態から図１７（ｂ）に示す「レンジ  ０Ｗ  ０秒」の表示に変化させる。この時の圧電素子２０の振動は、第２の実施例と同様である。そして、制御装置１６は、図１６（ｂ）で示すように、液晶表示器３６に枠３８と「レンジ」の文字、枠１４ｂに対応する枠４２と「とりけし」の文字、および枠３５ａに対応する枠４３と「出力  温度  時間」の文字を表示させる。
【００４３】
図１６（ｃ）に示すように、使用者が指Ｆで枠４３内をタッチ操作すると、制御装置１６は、図１７（ｃ）で示すように、表示器１５にタッチ操作位置に応じ出力と時間の表示、即ち、「レンジ  ６００Ｗ  ２分３０秒」の表示を行なわせる。この時の圧電素子２０の振動は第２の実施例と同様である。そして、制御装置１６は、図１６（ｃ）で示すように、液晶表示器３６に枠１４ａと同様の枠４４と「スタート」の文字を新たに表示させる。
【００４４】
図１６（ｄ）に示すように、使用者が指Ｆで「スタート」の枠４４内をタッチ操作すると、制御装置１６は、マイクロ波加熱装置２に動作を開始させる。この時の表示器１５の表示状態は図１７（ｄ）で示すように図１７（ｃ）補状態のままである。又、この時の圧電素子２０の振動は第２の実施例と同様である。そして、制御装置１６は、レンジ調理を開始させると、図１６（ｅ）に示すように、液晶表示器３６に枠４２と「とりけし」の文字のみを表示させ、表示器１５に、図１７（ｅ）で示すように、「レンジ  ６００Ｗ  ２分２０秒」のように表示させる。この図１７（ｅ）の表示は、レンジ調理開始から２０秒経過した状態を示す。制御装置１６は、その後レンジ調理が終了したときには、液晶表示器３６および表示器１５を図１５および図１６（ａ）に示す初期状態にする。
【００４５】
以上は、レンジ調理を選択実行させた場合について述べたものであるが、他の調理を選択実行させる場合の動作も同様である。
この第３の実施例によれば、使用者が指Ｆで枠４３内をタッチ操作する度に液晶表示器３６に次の操作に必要な表示だけが表示されるので、使用者は操作手順を容易に知ることができ、使い勝手のよいものとなる。
【００４６】
（第４の実施例）
図１８および図１９は本発明の第４の実施例であり、第１の実施例（特に、図６および図７参照）と同一部分には同一符号を付して示し、以下異なる部分について説明する。
図１８において、振動発生装置１９に代わる振動発生手段たる振動発生装置４５は、図６に示す振動発生装置１９の回路から、トランジスタ２２、２５、抵抗２６ないし２９、制御端子３０およびコンデンサ３１を省略し、圧電素子２０を直接直流電源端子２１に接続した構成である。
【００４７】
このような構成によれば、図１９（ｂ）で示す電圧Ｖ２が制御端子３４に与えられて、トランジスタ２４がオンオフされると、圧電素子２０には図１９（ａ）に示すパルス状の電圧ＶＺが印加される。従って、この実施例では、圧電素子２０に振動強度の変化をもたせることはできないが、図８の（ａ）、（ｂ）、（ｄ）、（ｅ）および（ｆ）弐対応する振動パターンは実現することができる。従って、圧電素子２０にそれ程複雑な振動変化を要求されない場合には、この実施例の振動発生装置４５で充分であり、回路構成が簡単で安価に製作できる利点がある。
【００４８】
尚、本発明は上記し且つ図面に示す実施例に限定されるものではなく、次のような拡張、変形が可能である。
光電式タッチパネル６の代わりに、Ｘ軸およびＹ軸方向に多数本の信号線を配置してこれらの交点をスイッチ部として構成された機械式タッチパネルを用いてもよい。この場合には、タッチ操作により機械式タッチパネル全体を振動させるようにしてもよい。
【００４９】
振動発生手段は、圧電素子２０を用いたものでなくても、他の振動子を用いたものでもよい。
オーブンレンジに限らず、加熱調理器全般に適用することができる。
【図面の簡単な説明】
【００５０】
【図１】本発明の第１の実施例を示すタッチパネルの断面図（ａ）および原理説明図（ｂ）
【図２】オーブンレンジの斜視図
【図３】タッチパネルの正面図
【図４】表示器の表示状態を示す図
【図５】電気的構成を示すブロック線図
【図６】振動発生装置の電気回路図
【図７】作用説明用の波形図
【図８】作用説明用の波形図
【図９】本発明の第２の実施例を示す図３相当図
【図１０】操作手順を説明するための図
【図１１】図４相当図
【図１２】図１０相当図
【図１３】図１１相当図
【図１４】本発明の第３の実施例を示す図１（ａ）相当図
【図１５】図９相当図
【図１６】図１０相当図
【図１７】図１１相当図
【図１８】本発明の第４の実施例を示す図６相当図
【図１９】図７相当図
【符号の説明】
【００５１】
図面中、１は外箱、２波マイクロは加熱装置（加熱手段）、３はヒータ加熱装置（加熱手段）、４は扉、６はタッチパネル、７は透明板（タッチ面部）、８ａおよび９ａは赤外線ＬＥＤ、８ｂおよび９ｂはフォトトランジスタ、１５は表示器、１６は制御装置（制御手段）、１９は振動発生装置（振動発生手段）、２０は圧電素子、３６は液晶表示器、３７は透明板（タッチ面部）、４５は振動発生装置（振動発生手段）を示す。
【図１】
2005265216.tif 000003
【図２】
2005265216.tif 000004
【図３】
2005265216.tif 000005
【図４】
2005265216.tif 000006
【図５】
2005265216.tif 000007
【図６】
2005265216.tif 000008
【図７】
2005265216.tif 000009
【図８】
2005265216.tif 000010
【図９】
2005265216.tif 000011
【図１０】
2005265216.tif 000012
【図１１】
2005265216.tif 000013
【図１２】
2005265216.tif 000014
【図１３】
2005265216.tif 000015
【図１４】
2005265216.tif 000016
【図１５】
2005265216.tif 000017
【図１６】
2005265216.tif 000018
【図１７】
2005265216.tif 000019
【図１８】
2005265216.tif 000020
【図１９】
2005265216.tif 000021